(57)【要約】【課題】  正確に採便し、採便具内部の内部液をこぼすことなく、また採便具の蓋を開放することなく、短時間、かつ簡単に前記内部液を抽出できる検便用採便具を提供することを目的とする。  【解決手段】  本発明にかかる採便用検便具は、両端に開口部を有する筒状部材３と、筒状部材３の一方の開口部を封止するフィルム状部材４と、フィルム状部材４から所定の距離を隔てた筒状部材３内部に、液体は通すが固形物は通さないフィルタ７と、便を採取するための採便部２を有する採便棒１と、採便棒１を支持するとともに、採便棒１の採便部２を筒状部材３の他の一方の開口部から筒状部材３内部に収容した状態で該他の一方の開口部を封止する蓋部材５と、からなり、中空の穿刺針を用いてフィルム状部材４を穿刺することにより筒状部材３内部の内部液６を抽出する。【選択図】    図１
2005249553.tif 000002
【特許請求の範囲】
【請求項１】
両端に開口部を有する筒状部材と、
前記筒状部材の一方の開口部を封止するフィルム状部材と、
便を採取するための採便部を有する採便棒と、
前記採便棒を支持するとともに、前記採便棒の採便部を前記筒状部材の他の一方の開口部から筒状部材内部に収容した状態で該他の一方の開口部を封止する蓋部材と、を備える、
ことを特徴とする検便用採便具。
【請求項２】
請求項１に記載の検便用採便具において、
前記筒状部材は、前記フィルム状部材から所定の距離を隔てた筒状部材内部に、液体を通すが固形物は通さないフィルタを備える、
ことを特徴とする検便用採便具。
【請求項３】
請求項１に記載の検便用採便具において、
前記一方の開口部をフィルム状部材により封止された筒状部材の内部に殺菌水が貯えられている、
ことを特徴とする検便用採便具。
【請求項４】
請求項１に記載の検便用採便具において、
前記蓋部材と前記採便棒とを一体で形成した、
ことを特徴とする検便用採便具。
【請求項５】
請求項１に記載の検便用採便具において、
前記採便部を前記採便棒の先端に設け、該採便部に細溝、切欠き、或いは凹部を形成した、
ことを特徴とする検便用採便具。
【請求項６】
請求項１に記載の検便用採便具において、
前記フィルム状部材で封止した前記筒状部材の一方の開口部の径が、前記筒状部材の前記蓋状部材で封止する他の一方の開口部の径よりも小さい、
ことを特徴とする検便用採便具。
【請求項７】
請求項１から６の何れかに記載の検便用採便具と組み合わせて使用するコネクタであって、
前記検便用採便具を構成する筒状部材のフィルム状部材側の端部と嵌合する第１の凹部と、
前記第１の凹部と前記筒状部材の端部が嵌合した状態で、前記検便用採便具のフィルム状部材を穿刺し、前記検便用採便具の筒状部材内部と筒状部材外部とを連通させる中空の穿刺針と、を備える、
ことを特徴とするコネクタ。
【請求項８】
請求項７に記載のコネクタにおいて、
前記中空の穿刺針を通じて前記筒状部材内部に貯えられている液体を吸引して採取するシリンジと嵌合するよう形成された第２の凹部をさらに備える、
ことを特徴とするコネクタ。
【請求項９】
請求項１から６の何れかに記載の検便用採便具と組み合わせて使用する検体採取ホルダであって、
前記検便用採便具を構成する筒状部材のフィルム状部材側の端部と係合するＮ個（Ｎ：１以上の整数）の第３の凹部と、
前記第３の凹部と前記検便用採便具の筒状部材端部とが係合した状態で、前記検便用採便具のフィルム状部材をそれぞれ穿刺する、前記第３の凹部にぞれぞれ設けられた穿刺針と、を備え、
前記穿刺針により前記検便用採便具のフィルム状部材を穿刺することにより、前記検便用採便具の筒状部材内部に貯えられている内部液を導出し、該内容液を前記第３の凹部にそれぞれ採取する、
ことを特徴とする検体採取ホルダ。
【請求項１０】
請求項９に記載の検体採取ホルダにおいて、
前記第３の凹部に係合した複数の前記検便用採便具を一度に取り外す取り外しユニットをさらに備える、
ことを特徴とする検体採取ホルダ。
【請求項１１】
請求項１から６の何れかに記載の検便用採便具の先端部分、及び前記検便用採便具のフィルム状部材を穿刺する穿刺針を少なくとも密閉する容器と、
前記容器内部の圧力を調整する圧力調整部と、を備える、
ことを特徴とする検体採取容器
【発明の詳細な説明】
【技術分野】
【０００１】
本発明は、便を採取するための検便用採便具、及び該検便用採便具と組み合わせて使用するコネクタ、検体採取ホルダ、及び検体採取容器に関する。
【背景技術】
【０００２】
潰瘍性大腸炎(ulcerative colitis)は、「主として粘膜と粘膜下層をおかす、大腸とくに直腸の特発性、非特異性の炎症性疾患。３０歳以下の成人に多いが、小児や５０歳以上の者にもみられる。原因は不明で、免疫病理学的機序や心理学的要因の関与が考えられている。通常血性下痢と種々の程度の全身症状を示す。長期にわたり、かつ大腸全体をおかす場合には悪性化の傾向がある。」とされている、炎症性腸疾患の一種である。粘膜を越えて組織が浅く欠損する糜爛（びらん）や、深く欠損する潰瘍が大腸に形成され、下痢、血便、腹痛や発熱などの症状を呈する。この疾患は、良性でありながら患者のＱＯＬ（クオリティオブライフ）が著しく損なわれる原因不明の難治性疾患で、長期経過例では癌化するリスクが高くなる。わが国では、生活習慣の欧米化に伴い着実に増加を続けている。特定疾患の申請をしている日本の患者数は平成１１年末で特定疾患受給者証の数で約６０６００人であり、最近は年間約４０００人の方が発病していて患者数は増加し続けている、世界的に見ると、欧米諸国を中心に患者数が多く、北欧やアメリカの白人、ユダヤ人に特に多いと言われている。また、様々な治療にもかかわらず、８〜９割の人が何回も再発を繰り返すのがこの病気の特徴である。
【０００３】
潰瘍性大腸炎の診断は、細菌性赤痢、アメーバー赤痢、日本住血吸中病、大腸結核などの感染性大腸炎および放射性腸炎、虚血性大腸炎、肉芽腫性大腸炎を除外しX線所見、内視鏡所見、および生検組織所見などから総合的に判断される。
【０００４】
そして、この潰瘍性大腸炎の初期的な発見としては、潰瘍性大腸炎の症状で最も多く見られる便中の出血を検査する方法が一般的に集団検診等で行われている。しかしながら、具合の悪いことに、このような出血性の排便があるのは、潰瘍性大腸炎にかぎらず、痔ろう等の慢性疾患でも起こりえる。こうした事情から痔ろう患者が多いわが国では、こういった集団検診時に潰瘍性大腸炎を発見したと思って、正確な検査を行ってみると単なる痔ろうである場合が少なくない。
【０００５】
そのため、痔ろうと潰瘍性大腸炎との区別を簡単、正確に判定できる方法として、便中に含まれる種々の短鎖脂肪酸を電気化学的に測定するという方法を、我々は提案している。この方法は、患者の便中細菌とその代謝産物である短鎖脂肪酸を比較したときに、非揮発性の短鎖脂肪酸である乳酸濃度が、揮発性の短鎖脂肪酸である酢酸、プロピオン酸、吉草酸、イソ吉草酸の濃度の総和に対して高くなると潰瘍性大腸炎の疑いがあるという報告(日本消化器病学会雑誌第８６巻８号第１６２７〜１６３７頁）を利用して、便中に含まれる種々の短鎖脂肪酸が溶液に抽出された試料を、分離カラムで各々の短鎖脂肪酸に分離し、電気化学的に測定することにより、痔ろうと潰瘍性大腸炎との区別を簡単、正確に判定するものである。
【０００６】
そして、このような検査のための検便用採便具としては、一端のみが開口した試験管のごとき筒状容器に内部液を入れておき、そこに先端部に採便した棒を挿入するようにしたものが一般的であった（例えば、特許文献１参照）。
【特許文献１】特開２００１−２０８７５０号公報
【発明の開示】
【発明が解決しようとする課題】
【０００７】
しかしながら、前記従来の検便用採便具の構成では、便より各種短鎖脂肪酸が溶出した内部液を入手する場合に、筒状容器に封入した内部液を蓋を開けて抜き取る形状なので、前記内部液をこぼしたり、蓋を開放したりする手間がかかるという課題を有していた。
【０００８】
本発明は、前記従来の課題を解決するもので、便を採取するための検便用採便具において、検便用採便具の内部液をこぼすことなく、また検便用採便具の蓋を開放することなく、正確に採便し、短時間、かつ簡単に検便用採便具の内部液を抽出できる検便用採便具、及びこれと組み合わせて使用するコネクタ、検体採取ホルダ、或いは検体採取容器を提供することを目的とする。
【課題を解決するための手段】
【０００９】
前記従来の課題を解決するために、本発明にかかる検便用採便具は、両端に開口部を有する筒状部材と、前記筒状部材の一方の開口部を封止するフィルム状部材と、便を採取するための採便部を有する採便棒と、前記採便棒を支持するとともに、前記採便棒の採便部を前記筒状部材の他の一方の開口部から筒状部材内部に収容した状態で該他の一方の開口部を封止する蓋部材とを備えることを特徴とするものである。
これにより、筒状部材のフィルム状部材を破ることにより、検便用採便具の内部液を抽出することができ、検便用採便具の蓋を開放することなく、短時間、かつ簡単に検便用採便具の内部液を抽出することが可能となる。
【００１０】
また、本発明にかかる検便用採便具は、前記筒状部材が、前記フィルム状部材から所定の距離を隔てた筒状部材内部に、液体を通すが固形物は通さないフィルタを備えることを特徴とするものである。
これにより、便中の固形物をフィルタにより除去することができ、内部液のうちの液体成分のみを抽出することを可能にする。
【００１１】
また、本発明にかかる検便用採便具は、前記一方の開口部をフィルム状部材により封止された筒状部材の内部に殺菌水が貯えられていることを特徴とするものである。
これにより、採取した便の殺菌を行うことができる。
【００１２】
また、本発明にかかる検便用採便具は、前記蓋部材と前記採便棒とを一体で構成したことを特徴とするものである。
これにより、検便用採便具の部品数を減少させることができる。
【００１３】
また、本発明にかかる検便用採便具は、前記採便部を前記採便棒の先端に設け、該採便部に細溝、切欠き、或いは凹部を形成したことを特徴とするものである。
これにより、採便時に採った便を採便棒の採便部から落ちにくくすることができる。
【００１４】
また、本発明にかかる検便用採便具は、前記フィルム状部材で封止した前記筒状部材の一方の開口部の径が、前記筒状部材の前記蓋状部材で封止する他の一方の開口部の径よりも小さいことを特徴とするものである。
これにより、検便用採便具の内部液の抽出をより無駄なく行うことができる。
【００１５】
また、本発明にかかるコネクタは、前記検便用採便具と組み合わせて使用するコネクタであって、前記検便用採便具を構成する筒状部材のフィルム状部材側の端部と嵌合する第１の凹部と、前記第１の凹部と前記筒状部材の端部が嵌合した状態で、前記検便用採便具のフィルム状部材を穿刺し、前記検便用採便具の筒状部材内部と筒状部材外部とを連通させる中空の穿刺針とを備えることを特徴とするものである。
これにより、検便用採便具の内部液を漏洩させることなく筒状部材のフィルム状部材を破ることができ、検便用採便具の内部液をこぼすことなく、また検便用採便具の蓋を開放することなく、中空の穿刺針を介して、短時間、かつ簡単に検便用採便具の内部液を抽出することが可能となる。
【００１６】
また、本発明にかかるコネクタは、前記中空の穿刺針を通じて前記筒状部材内部に貯えられている液体を吸引して採取するシリンジと嵌合するよう形成された第２の凹部をさらに備えることを特徴とするものである。
これにより、検便用採便具から内部液を漏洩させることなく、検便用採便具の内部液を前記シリンジ内に抽出することができる。
【００１７】
また、本発明にかかる検体採取ホルダは、前記検便用採便具と組み合わせて使用する検体採取ホルダであって、前記検便用採便具を構成する筒状部材のフィルム状部材側の端部と係合するＮ個（Ｎ：１以上の整数）の第３の凹部と、前記第３の凹部と前記検便用採便具の筒状部材端部とが係合した状態で、前記検便用採便具のフィルム状部材をそれぞれ穿刺する、前記第３の凹部にぞれぞれ設けられた穿刺針と、を備え、前記穿刺針により前記検便用採便具のフィルム状部材を穿刺することにより、前記検便用採便具の筒状部材内部に貯えられている内部液を導出し、該内容液を前記第３の凹部にそれぞれ採取することを特徴とするものである。
これにより、それぞれの検便用採便具の内部液をこぼすことなく、また検便用採便具の蓋を開放することなく、短時間、かつ簡単に検便用採便具の内部液をＮ個の凹部にそれぞれ抽出することができる。
【００１８】
また、本発明にかかる検体採取ホルダは、前記第３の凹部に係合した複数の前記検便用採便具を一度に取り外す取り外しユニットをさらに備えることを特徴とするものである。
これにより、より短時間、かつ簡単に検便用採便具の取り外しを行うことが可能になる。
【００１９】
また、本発明にかかる検体採取容器は、前記検便用採便具の先端部分、及び前記検便用採便具のフィルム状部材を穿刺する穿刺針を少なくとも密閉する容器と、前記容器内部の圧力を調整する圧力調整部と、を備えることを特徴とするものである。
これにより、前記検便用採便具のフィルム状部材を前記穿刺針により穿刺し、前記圧力調整部により前記容器内部の圧力を減圧することができるため、検便用採便具の内部液をこぼすことなく、また検便用採便具の蓋を開放することなく、短時間、かつ簡単に検便用採便具の内部液を採取することができる。なお、前記容器は、検便用採便具の内部液を採取する容器として作用するように用いてもよいし、検便用採便具の内部液を採取するための容器として、即ち、検便用採便具内外の圧力差を創り出す為の容器としてのみ用いてもよい。
【発明の効果】
【００２０】
本発明による検便用採便具、及びこれと組み合わせて使用するコネクタ、検体採取ホルダ、或いは検体用採取容器によれば、検便用採便具の筒状部材の一方の開口部をフィルム状部材で構成し、該フィルム状部材を穿刺針を用いて穿孔することにより、検便用採便具の筒状部材内部と筒状部材外部とを連通させて、検便用採便具の内部液を抽出するようにしたので、検便用採便具の内部液をこぼすことなく、また検便用採便具の蓋を開放することなく、正確に採便し、短時間、かつ簡単に検便用採便具の内部液を抽出することができる効果が得られる。
【発明を実施するための最良の形態】
【００２１】
（実施の形態１）
以下に、本発明の実施の形態１による検便用採便具、及びこれと組み合わせて使用するコネクタついて図面を用いて詳細に説明する。
図１は、本発明の実施の形態１による検便用採便具の断面図を示すものである。
【００２２】
図１において、１は採便棒であり、特に有機物に侵されないような、また腐食を起こさないようなプラスチック類、又はステンレスを材料に用いている。また、採便棒１の先端部には便を採取するための採便部２が設けられており、該採便部２には、採便時に採った便が落ちないような、細溝や切欠きや凹部が形成されている。
【００２３】
３は両端に開口部を有する筒状部材であり、一方の開口部がフィルム状部材４により封止されている。なお、このフィルム状部材４としては、特に耐薬品性の強い材料が用いられる。また、筒状部材３の断面形状については特に限定はなく、円形状、多角形状等、どのような形状のものであっても良い。
【００２４】
５は採便棒１を支持するとともに、採便棒１の採便部２を筒状部材３の他の一方の開口部から筒状部材３内部に収容した状態で該他の一方の開口部を封止する蓋部材であり、蓋部材５と筒状部材３とを、例えばスクリュウネジなどで閉める構造にして筒状部材３を密閉できるようにするものである。なお、採便棒１と蓋部材５とを一体として構成しても良い。
【００２５】
６は、一方の開口部をフィルム状部材４により封止した筒状部材３の内部に貯えられる内部液であり、便の殺菌などを行い、便中の短鎖脂肪酸を抽出するための殺菌水が貯えられている。
【００２６】
７は、フィルム状部材４から所定の距離を隔てた筒状部材３内部に設けられた便などの固形物を通さないフィルタであり、特に固形物を通さない程度のメンブレンフィルタなどのように、内部液６は通すが固形物は通さない材料により形成されている。なお、フィルタ７を設ける前記所定の距離とは、フィルム状部材４を後述する穿刺針１０により穿刺した際に、該フィルタ７が穿刺針１０により穿刺されないような距離であり、且つ蓋部材５により筒状部材３を封止した状態で採便棒１の先端とフィルタ７とが接触しないような距離であればどのような距離であってもよく、穿刺針１０や、採便棒１の長さに応じて予め任意に定めることができる。
【００２７】
次に、このように構成される検便用採便具８と組み合わせて、採便棒１の採便部２に付着した便より抽出された短鎖脂肪酸を含有した内部液６の抽出するコネクタ１２について説明する。
【００２８】
図２は、本発明の実施の形態１によるコネクタの断面図を示すものである。
１２は、筒状部材３のフィルム状部材４で覆われた端部が、隙間無く嵌合する凹部９（第１の凹部）を持つコネクタであり、コネクタ１２の凹部９の内部には筒状部材３の端部に設けられたフィルム状部材４を破ることが可能な中空の穿刺針１０が設けられている。
【００２９】
また、コネクタ１２の凹部９の反対側には、凹部１１（第２の凹部）が設けられ、穿刺針１０が中空形状になっていることから、フィルム状部材４を破った際に筒状部材３内の内部液６が穿刺針１０の中空部分を介して凹部１１に流れてくる。なお、この穿刺針１０の長さは、コネクタを検便用採便具に係合させたときに、穿刺針１０の先端がフィルム状部材４とフィルタ７との間に位置する長さに設定されている。また、より好適には、凹部９とフィルム状部材４との接触位置、及び凹部１１と後述するシリンジ１３の開口部との接触位置にゴム状部材等を設け、凹部９とフィルム状部材４、及び凹部１１とシリンジ１３の開口部とが密に接するように構成すれば良い。
【００３０】
次に、コネクタ１２と組み合わせて使用するシリンジ１３について説明する。
図３は、本発明の実施の形態１によるシリンジの断面図を示すものである。
【００３１】
１３は、コネクタ１２の凹部１１に隙間無く嵌合する先端部を持つシリンジであり、検便用採便具８とコネクタ１２とシリンジ１３とを順に連結して、シリンジ１３のプランジャ１４を引き抜くようにすることによって、内部液６をシリンジ内に抜き取ることを可能にする。
【００３２】
次に、以上のように構成された検便用採便具、コネクタ、シリンジを用いた採便方法について説明する。
まず、採便棒１の先端に設けられた採便部２を採取したい便の上部に付けて数回回転させる。そして、便を付着した採便棒１を、殺菌水で構成された内部液６の入った筒状部材３内に挿入し、採便棒１を支持する蓋部材５を筒状部材３のスクリュウ部分に締め込み、内部液６が筒状部材３外部に漏洩しないようにする。
【００３３】
次に、採便棒１が挿入された検便用採便具８の筒状部材３をよく振り、便中の短鎖脂肪酸が内部液６中によく溶け込むようにする。なお、短鎖脂肪酸を測定できる範囲が２ｍＭ以下であることと、測定する短鎖脂肪酸乳酸濃度が揮発性の短鎖脂肪酸である酢酸、プロピオン酸、吉草酸、イソ吉草酸の濃度の総和に対する乳酸の濃度比率で、潰瘍性大腸炎の診断を行うため、便の量は測定範囲内であればアバウトで良い。
【００３４】
内部液６中に便から短鎖脂肪酸が抽出された後、内部液６を抽出するには、検便用採便具８のフィルム状部材４が設けられている側にコネクタ１２の凹部９を差込み、筒状部材３の先端に付いているフィルム状部材４をコネクタ１２の穿刺針１０によって破る。これにより、コネクタ１２の穿刺針１０によって、検便用採便具８の内部液６が漏洩しないように筒状部材３のフィルム状部材４が破られ、中空の穿刺針１０を介して検便用採便具８内の内部液６の抽出が可能となる。なお、穿刺針１０はフィルム状部材４を破ることができるような、鋭利な先端を持つものであれば形状は何でもよい。
【００３５】
また、コネクタ１２の凹部１１に予めシリンジ１３を差し込んでおけば、穿刺針１０がフィルム状部材４を破った際に、凹部１１側から内部液６が漏洩されることは無い。そしてシリンジ１３のプランジャ１４を、引っ張る動作をすると、シリンジ１３内部に中空の穿刺針１０を介して内部液６を抽出することができる。このとき便中の固形物はフィルタ７により除去され、内部液６のうち液体成分のみをシリンジ１３に取り込むことが可能となる。
【００３６】
このように、本発明の実施の形態１による検便用採便具、及びこれと組み合わせて使用するコネクタによれば、検便用採便具８をコネクタ１２に取り付けることにより、コネクタ１２の穿刺針１０によって、検便用採便具８の内部液６が漏洩しないように筒状部材３のフィルム状部材４を破ることができ、検便用採便具の内部液をこぼすことなく、また検便用採便具の蓋を開放することなく、中空の穿刺針を介して、短時間、かつ簡単に検便用採便具の内部液を抽出することが可能となる。
【００３７】
また、検便用採便具８が、フィルム状部材４から所定の距離を隔てた筒状部材３内部に、液体は通すが固形物は通さないフィルタ７を備えたことにより、便中の固形物はフィルタ７により除去され、内部液６のうち液体成分のみをシリンジ１３に取り込むことが可能となる。
【００３８】
（実施の形態２）
次に、本発明の実施の形態２による検便用採便具、及びこれと組み合わせて使用するコネクタついて図面を用いて詳細に説明する。
本発明の実施の形態２による検便用採便具、及びこれと組み合わせて使用するコネクタは、前記実施の形態１による検便用採便具のフィルム状部材で封止した筒状部材の一方の開口部を小径に絞り込んで構成するとともに、当該開口部と嵌合するコネクタの凹部を設けたものである。
【００３９】
図４は、本発明の実施の形態２による検便用採便具、コネクタ、及びシリンジの使用状態を示す断面図である。なお、前記実施の形態１による検便用採便具、コネクタ、及びシリンジと同様の構成要素については同一の符号を付し、ここでは説明を省略する。
【００４０】
図４に示すように、１５は、前記実施の形態１で説明した検便用採便具８のフィルム状部材４で封止した筒状部材３の一方の開口部側の先端の径を、図４に示すように、筒状部材３の蓋部材５で封止する他の一方の開口部の径よりも小さく形成した検便用採便具である。なお、筒状部材３の一方の開口部側の先端の大きさは、コネクタ１７の穿刺針１０により筒状部材３のフィルム状部材４を穿刺できる程度の大きさを有していればよい。
【００４１】
１６は、前記実施の形態１で説明したシリンジ１３の先端を図４のように細く形成したシリンジである。
１７は、検便用採便具１５の筒状部材３先端を隙間無く嵌合する凹部１８（第１の凹部）と、シリンジ１６の先端を隙間無く嵌合する凹部１９（第２の凹部）を有するコネクタであり、前記実施の形態１で説明したコネクタ１２と同様に、検便用採便具１５と嵌合する凹部１８側に、中空の穿刺針１０が設けられている。
【００４２】
次に、以上のように構成された検便用採便具１５、シリンジ１６、コネクタ１７を用いた検便用採便具１５内の内部液の抽出方法について説明する。
検便用採便具１５の内部液６を抽出するには、検便用採便具１５のフィルム状部材４が設けられている側にコネクタ１７の凹部１８を差込み、筒状部材３の先端に付いているフィルム状部材４をコネクタ１７の穿刺針１０によって破る。これにより、コネクタ１７の穿刺針１０によって、検便用採便具１５の内部液６が漏洩しないように筒状部材３のフィルム状部材４が破られ、中空の穿刺針１０を介して検便用採便具１５内の内部液６の抽出が可能となる。
【００４３】
また、この際、予めコネクタ１７の凹部１９に予めシリンジ１６を差し込んでおけば、穿刺針１０がフィルム状部材４を破った際に、凹部１９側から内部液６を漏洩されることは無い。そしてシリンジ１６のプランジャを、引っ張る動作をすると、シリンジ１６内部に中空の穿刺針１０を介して内部液６を抽出することができる。このとき便中の固形物はフィルタ７により除去され、内部液６のうち液体成分のみをシリンジ１６に取り込むことが可能となる。
【００４４】
このように、本発明の実施の形態２による検便用採便具、及びこれと組み合わせて使用するコネクタによれば、検便用採便具１５をコネクタ１７に取り付けることにより、コネクタ１７の穿刺針１０によって、検便用採便具１５の内部液６が漏洩しないように筒状部材３のフィルム状部材４を破ることができ、検便用採便具の内部液をこぼすことなく、また検便用採便具の蓋を開放することなく、中空の穿刺針を介して、短時間、かつ簡単に検便用採便具の内部液を抽出することが可能となる。
【００４５】
また、本発明の実施の形態２による検便用採便具、及びこれと組み合わせて使用するコネクタは、前記実施の形態１に比して筒状部材３の先端とシリンジ１６の先端が細いため、内部液６をより無駄なくシリンジ１６に移動させることが可能になる。
【００４６】
なお、本発明の実施の形態１及び２では、検体用採便具８、１５の内部液６をコネクタ１２、１７を介してシリンジ１３、１６に採取するものについて説明したが、例えば、検便用採便具８、１５の先端部分、及び検便用採便具８、１５のフィルム状部材４を穿刺する穿刺針１０を有するコネクタ１２、１７を少なくとも密閉する容器と、ポンプなどにより構成される前記容器内部の圧力を調整する圧力調整部とを設け、検便用採便具８、１５のフィルム状部材４をコネクタ１２、１７が有する穿刺針１０により穿刺し、前記圧力調整部により前記容器内部の圧力を減圧することにより、検便用採便具８、１５の内部液６を前記容器内部に採取するようにしてもよい。
【００４７】
（実施の形態３）
次に、本発明の実施の形態３による検便用採便具、及びこれと組み合わせて使用する検体採取ホルダについて図面を用いて詳細に説明する。
【００４８】
本発明の実施の形態３による検便用採便具、及びこれと組み合わせて使用する検体採取ホルダは、検体採取ホルダに複数の検便用採便具をセットすることにより、複数の検便用採便具から内部液を同時に抽出することを可能にするものである。
【００４９】
図５は、本発明の実施の形態４による検便用採便具の断面図を示すものである。なお、前記実施の形態１による検便用採便具と同様の構成要素については同一の符号を付し、ここでは説明を省略する。
【００５０】
２０は、検便用採便具２３内の蓋部材５側に設けられた液押し機２０であり、液押し機２０を操作することにより検便用採便具２３内の内部液６に対して圧力を加え、後述する穿刺針２７によりフィルム状部材４が破かれた際に、該フィルム状部材側４から内部液６が流れ出るようにするものである。
【００５１】
２１は、フィルム状部材４が破かれた際に、蓋部材５を緩めることなく、該フィルム状部材側４から内部液６が流れ出るようにする逆止弁である。
【００５２】
２２は、検便用採便具２３の筒状部材３側面に、フィルム状部材４から所定の距離離して設けられたプレートであり、後述する取り外しユニット３０の引っ掛け穴３２に引っ掛かるような形状で形成されている。なお、プレート２２を設ける前記所定の距離とは、取り外しユニット３０が、後述する検体採取ホルダ２４への検便用採便具２３の取り付けを阻害しない距離であり、検体採取ホルダ２４への検便用採便具２３の取り付けを阻害しない範囲で自由に設定可能である。
【００５３】
次に、本発明の実施の形態３による検体採取ホルダについて説明する。
図６は、本発明の実施の形態３による検体採取ホルダを示すものであり、図７は、検体採取ホルダの断面図である。
【００５４】
２４は、Ｎ個（Ｎ：１以上の整数）の検便用採便具２３を保持可能な検体採取ホルダであり、検便用採便具２３を取り付けるためのＮ個の凹部２５（第３の凹部）と、取り外しユニット３０の足部３１を支持するための取り外しユニット支持穴２６を有する。なお、ここでは、複数の凹部２５が設けられた検体採取ホルダ２３について説明する。
【００５５】
また、凹部２５は、図７に示すように、検便用採便具２３から抽出された内部液６を収容する試料貯め穴２８と、検便用採便具２３の筒状部材３のフィルム状部材側の端部と係合する係合部２９とを有し、凹部２５内には、フィルム状部材４を破ることができるような、鋭利な先端を持つ穿刺針２７が設けられている。
【００５６】
３０は、複数の検便用採便具２３を検体採取ホルダ２４から取り外すことを可能にする取り外しユニットであり、検体採取ホルダ２４の４隅に設けられた取り外しユニット支持穴２６に挿入可能な足部３１と、検体採取ホルダ２４の凹部２５の位置に対応して設けられた検便用採便具２３の取り付けを阻害しない大きさの引っ掛け穴３２とを有し、取り外しユニット３０を持ち上げた際に、検便用採便具２３のプレート２２が取り外しユニット３０に引っ掛かるよう構成する。これにより、取り外しユニット３０を持ち上げることにより、多数の検便用採便具２３を同時に検体採取ホルダ２４から取り外すことができる。
【００５７】
次に、以上のように構成された検便用採便具２３、検体採取ホルダ２４、取り外しユニット３０を用いた検便用採便具２３内の内部液の抽出方法について説明する。
図８は、本発明の実施の形態３による検便用採便具、検体採取ホルダの使用状態を示す断面図である。
【００５８】
先ず、検体採取ホルダ２４の取り外しユニット支持穴２６に取り外しユニット３０の足部３１を差し込んで取り外しユニット３０をセットする。
【００５９】
次に、プレート２７が設けられた検便用採便具２３を、取り外しユニット３０の引っ掛け穴３２に各々差し込む。差し込む際、検便用採便具２３を、検体採取ホルダ２４の係合部２９に当たるまで差し込むと、検便用採便具２３の筒状部材３端部と検体採取ホルダ２４の係合部２９とが係合し、検体採取ホルダ２４の凹部２５内に設けられた穿刺針２０により検便用採便具２３のフィルム３が破られる。
【００６０】
これにより、検便用採便具２３の内部液６が取り出せる状態になるので、液押し機２０を押して内部液６を試料貯め穴２８に貯蔵できる。
【００６１】
そして、内部液６を貯蔵後、取り外しユニット３０を検体採取ホルダ２４より引き上げると、検便用採便具２３のプレート２２が取り外しユニット３０に引っ掛かり、取り外しユニット３０とともに、検便用採便具を引き上げることができる。
【００６２】
また、この検体採取ホルダ２４を、自動液取出し機構を持つ自動検査装置などに組み込んで、検体採取ホルダ２４の試料貯め穴２８に貯蔵された内部液６を測定することが可能となる。
【００６３】
以上のように本発明の実施の形態３による検便用採便具、及びこれと組み合わせて使用する検体採取ホルダによれば、検体採取ホルダ２４に、検便用採便具２３を構成する筒状部材３のフィルム状部材４側の端部と係合する係合部２９を有するＮ個の凹部２５と、該凹部２５と検便用採便具２３の筒状部材３端部とがそれぞれ係合した状態で、各検便用採便具のフィルム状部材をそれぞれ穿刺する穿刺針を設けたことにより、それぞれの検便用採便具の内部液をこぼすことなく、また検便用採便具の蓋を開放することなく、短時間、かつ簡単に検便用採便具の内部液をＮ個の凹部２５の試料貯め穴２８にそれぞれ抽出することができる。
【００６４】
また、取り外しユニット３０により、複数の検便用採便具２３を検体採取ホルダ２４から一度に取り外すことができるようにしたことにより、より短時間、かつ簡単に検便用採便具の取り外しを行うことが可能になる。
【００６５】
なお、本発明の実施の形態３では、検便用採便具２３にプレート２２を設け、取り外しユニット３０を引き上げることにより検便用採便具２３を取り外しユニット３０に引っ掛けて取り外すものについて説明したが、取り外しユニットは、検体採取ホルダ２４に取り付けられた検便用採便具を検体採取ホルダ２４から取り外せる構成のものであれば良く、例えば、各検便用採便具を取り外しユニットにより狭持して検便用採便具を検体採取ホルダ２４から取り外すものであっても良い。
【００６６】
また、本発明の実施の形態３では、検便用採便具２３のフィルム状部材４端部が小径で構成され、該端部と検体採取ホルダ２４の係合部２９とが係合するものについて説明したが、これは一例であり、検便用採便具と検体採取ホルダ２４とが係合し、検体採取ホルダ２４に設けられた穿刺針により検便用採便具のフィルム状部材を穿刺して、検便用採便具の筒状部材内部と筒状部材外部とがそれぞれ連通させるような構成のものであれば、本実施形態で説明したものと同様の効果を得ることができる。
【００６７】
また、図９に示したように検便用採便具２３の先端部分と検体採取ホルダ２４を密閉する容器３３と、ポンプなどにより構成される容器３３内部の圧力を調整する圧力調整部３４とを設け、各検便用採便具のフィルム状部材４を穿刺針２７によりそれぞれ穿刺した後、取り外しユニット３０を用いて検便用採便具２３と検体採取ホルダ２４との間に隙間が出来るように検便用採便具２３を持ち上げ、圧力調整部３４により容器３３の内部の空気を吸引して容器３３内部の圧力を減圧することにより、検便用採便具２３の内側と外側で圧力差を生じさせ、検便用採便具２３の内部液６を検便用採便具２３の内部圧力によって押し出し、試料貯め穴２８に抽出するようにしてもよい。これにより、それぞれの検便用採便具の内部液をこぼすことなく、また検便用採便具の蓋を開放することなく、より短時間、かつ簡単に検便用採便具の内部液をＮ個の凹部２５の試料貯め穴２８にそれぞれ抽出することが可能になる。なお、ここでは、図９に示したようにゴム状部材３５を設け、検便用採便具２３側面と容器３３とを密着させるようにしている。
【産業上の利用可能性】
【００６８】
本発明にかかる検便用採便具は、検便用採便具の内部液をこぼすことなく、また採便具の蓋を開放することなく、正確に採便し、短時間、かつ簡単に前記内部液を抽出できるものであり、検便する際に使用する検便用採便具として有用である。
【図面の簡単な説明】
【００６９】
【図１】本発明の実施の形態１による検便用採便具の断面図。
【図２】本発明の実施の形態１によるコネクタの断面図。
【図３】本発明の実施の形態１によるシリンジの断面図。
【図４】本発明の実施の形態２による検便用採便具、コネクタ、及びシリンジの使用状態を示す断面図。
【図５】本発明の実施の形態３による検体採取ホルダの使用状態を示す断面図。
【図６】本発明の実施の形態３による検体採取ホルダを示す図。
【図７】本発明の実施の形態３による検体採取ホルダの断面図。
【図８】本発明の実施の形態３による検便用採便具、検体採取ホルダの使用状態を示す断面図。
【図９】本発明の実施の形態３による検便用採便具、検体採取ホルダ、及び検体採取容器の使用状態を示す断面図。
【符号の説明】
【００７０】
１  採便棒
２  採便部
３  筒状部材
４  フィルム状部材
５  蓋部材
６  内部液
７  フィルタ
８、１５、２３  検便用採便具
９、１８  第１の凹部
１０  中空の穿刺針
１１、１９  第２の凹部
１２、１７  コネクタ
１３、１６  シリンジ
１４  プランジャ
２０  液押し機
２１  逆止弁
２２  プレート
２４  検体採取ホルダ
２５  第３の凹部
２６  取り外しユニット支持穴
２７  穿刺針
２８  試料貯め穴
２９  係合部
３０  取り外しユニット
３１  足部
３２  引っ掛け穴
３３  容器
３４  圧力調整部
３５  ゴム状部材
【図１】
2005249553.tif 000003
【図２】
2005249553.tif 000004
【図３】
2005249553.tif 000005
【図４】
2005249553.tif 000006
【図５】
2005249553.tif 000007
【図６】
2005249553.tif 000008
【図７】
2005249553.tif 000009
【図８】
2005249553.tif 000010
【図９】
2005249553.tif 000011